(57)【要約】【課題】  反射器機能を備えたデータ伝送装置から反射波読み取り器機能を備えたデータ処理装置へ、反射波伝送を用いて複数のファイルを効率的に伝送する。【解決手段】  画像伝送装置は、内部のメモリに格納されているファイルの情報を画像表示装置に送る機能を有する。そして、画像表示装置の表示部上で送信ファイルを選択する機能を設けることにより、画像伝送装置が常に画像表示装置に向けられた状態でユーザが複数のファイル送信ができるようなインターフェースを提供する。ユーザは、送信しようとするファイルを画像表示装置上に表示されるファイル・リストから選択・決定することができる。【選択図】  図２
2006020078.tif 000002
【特許請求の範囲】
【請求項１】
データ伝送装置からデータ処理装置へ１以上のファイルを伝送する無線通信システムであって、
データ伝送元となるデータ伝送装置において伝送可能なファイルの情報をデータ伝送先となるデータ処理装置において表示し送信ファイルを選択するインターフェースを提供する、
ことを特徴とする無線通信システム。
【請求項２】
前記データ伝送装置は受信した搬送波に対する反射波を送信データに従って変調してデータ送信し、前記データ処理装置は搬送波を送信するとともに搬送波に対する反射波を受信しデータを復調して、前記データ伝送装置と前記データ処理装置間で反射波伝送を行なう、
ことを特徴とする請求項１に記載の無線通信システム。
【請求項３】
前記データ伝送装置は、伝送可能なファイルに関するファイル・リストを前記データ処理装置に伝送し、
前記データ処理装置は、受信したファイル・リストを画面表示し、
前記データ伝送装置は、前記ファイル・リストの表示画面に対するユーザ操作コマンドを伝送し、
前記データ処理装置は、受信したユーザ操作コマンドに基づいて前記ファイル・リスト中から伝送対象となるファイルを選択して、前記データ伝送装置に対しファイル伝送要求し、
前記データ処理装置は、要求されたファイルを前記データ処理装置に伝送する、
ことを特徴とする請求項１に記載の無線通信システム。
【請求項４】
前記データ処理装置は、前記データ伝送装置から受信したファイル情報を表示する、
ことを特徴とする請求項１に記載の無線通信システム。
【請求項５】
前記データ伝送装置は、ユーザ操作部を備え、該ユーザ操作部を介して入力されたユーザ操作コマンドを前記データ処理装置に伝送し、
前記データ処理装置は、受信したユーザ操作コマンドに従って表示内容を変更する、
ことを特徴とする請求項１に記載の無線通信装置。
【請求項６】
ファイルを伝送するデータ伝送装置であって、
伝送可能なファイルの情報をデータ伝送先に送信するファイル情報送信手段と、
データ伝送先からのファイル伝送要求を受信し、要求されたファイルをデータ伝送先へ送信するファイル送信手段と、
を具備することを特徴とするデータ伝送装置。
【請求項７】
データ伝送先から受信した搬送波に対する反射波を送信データに従って変調してデータ送信する送信手段を備える、
ことを特徴とする請求項６に記載のデータ伝送装置。
【請求項８】
データ伝送先において表示された伝送可能なファイルの情報に対してユーザが指示動作を行なうユーザ操作手段と、
前記ユーザ操作手段を介したユーザ操作コマンドをデータ伝送先に送信するユーザ操作コマンド送信手段とをさらに備え、
前記ファイル送信手段は、ユーザ操作コマンドに基づいたファイル伝送要求に応答して、要求されたファイルをデータ伝送先へ送信する、
ことを特徴とする請求項６に記載のデータ伝送装置。
【請求項９】
ファイルを伝送するデータ伝送方法であって、
伝送可能なファイルの情報をデータ伝送先に送信するファイル情報送信ステップと、
データ伝送先からのファイル伝送要求を受信するステップと、
要求されたファイルをデータ伝送先へ送信するファイル送信ステップと、
を具備することを特徴とするデータ伝送方法。
【請求項１０】
前記ファイル情報送信ステップ又は前記ファイル送信ステップでは、データ伝送先から受信した搬送波に対する反射波を送信データに従って変調してデータ送信する、
ことを特徴とする請求項９に記載のデータ伝送方法。
【請求項１１】
データ伝送先において表示された伝送可能なファイルの情報に対してユーザが指示動作を行なうユーザ操作ステップと、
前記ユーザ操作ステップにおいて入力されたユーザ操作コマンドをデータ伝送先に送信するユーザ操作コマンド送信ステップとをさらに備え、
前記ファイル送信ステップでは、ユーザ操作コマンドに基づいたファイル伝送要求に応答して、要求されたファイルをデータ伝送先へ送信する、
ことを特徴とする請求項９に記載のデータ伝送方法。
【請求項１２】
ファイルを受信し処理するデータ処理装置であって、
データ伝送元から伝送可能なファイルの情報を受信するファイル情報受信手段と、
受信したファイル情報を表示出力するファイル情報表示手段と、
表示出力されているファイル情報を介して伝送要求するファイルを選択するファイル選択手段と、
選択されたファイルをデータ伝送元に要求するファイル伝送要求手段と、
データ伝送元から伝送要求したファイルを受信するファイル受信手段と、
を具備することを特徴とするデータ処理装置。
【請求項１３】
データ伝送元からユーザ操作コマンドを受信するユーザ操作コマンド受信手段をさらに備え、
前記ファイル情報表示手段は、ユーザ操作コマンドに基づいてファイル情報の表示を更新し、
前記ファイル選択手段は、ユーザ操作コマンドに基づいて伝送要求するファイルを選択する、
ことを特徴とする請求項１２に記載のデータ処理装置。
【請求項１４】
前記ファイル情報受信手段、前記ファイル受信手段、又は前記ユーザ操作コマンド受信手段は、搬送波を送信するとともに、データ送信元からの該反射波に対する反射波信号をデータ復調する、
ことを特徴とする請求項１３に記載のデータ処理装置。
【請求項１５】
ファイルを受信し処理するデータ処理方法であって、
データ伝送元から伝送可能なファイルの情報を受信するファイル情報受信ステップと、
受信したファイル情報を表示出力するファイル情報表示ステップと、
表示出力されているファイル情報を介して伝送要求するファイルを選択するファイル選択ステップと、
選択されたファイルをデータ伝送元に要求するファイル伝送要求ステップと、
データ伝送元から伝送要求したファイルを受信するファイル受信ステップと、
を具備することを特徴とするデータ処理方法。
【請求項１６】
データ伝送元からユーザ操作コマンドを受信するステップと、
ユーザ操作コマンドに基づいてファイル情報の表示を更新するステップと、
前記ファイル選択ステップでは、ユーザ操作コマンドに基づいて伝送要求するファイルを選択する、
ことを特徴とする請求項１５に記載のデータ処理方法。
【請求項１７】
前記ファイル情報受信ステップ、前記ファイル受信ステップ、又は前記ユーザ操作コマンド受信ステップでは、搬送波を送信するとともに、データ送信元からの該反射波に対する反射波信号をデータ復調する、
ことを特徴とする請求項１６に記載のデータ処理方法。
【請求項１８】
ファイルを伝送するための処理をコンピュータ・システム上で実行するようにコンピュータ可読形式で記述されたコンピュータ・プログラムであって、
伝送可能なファイルの情報をデータ伝送先に送信するファイル情報送信ステップと、
データ伝送先において表示された伝送可能なファイルの情報に対してユーザが指示動作を行なうユーザ操作ステップと、
前記ユーザ操作ステップにおいて入力されたユーザ操作コマンドをデータ伝送先に送信するユーザ操作コマンド送信ステップと、
データ伝送先からのユーザ操作コマンドに基づいたファイル伝送要求を受信するファイル要求受信ステップと、
要求されたファイルをデータ伝送先へ送信するファイル送信ステップと、
を具備することを特徴とするコンピュータ・プログラム。
【請求項１９】
ファイルの受信処理をコンピュータ・システム上で実行するようにコンピュータ可読形式で記述されたコンピュータ・プログラムであって、
データ伝送元から伝送可能なファイルの情報を受信するファイル情報受信ステップと、
受信したファイル情報を表示出力するファイル情報表示ステップと、
データ伝送元からユーザ操作コマンドを受信するステップと、
ユーザ操作コマンドに基づいてファイル情報の表示を更新するステップと、
ユーザ操作コマンドに基づいて伝送要求するファイルを選択するファイル選択ステップと、
選択されたファイルをデータ伝送元に要求するファイル伝送要求ステップと、
データ伝送元から伝送要求したファイルを受信するファイル受信ステップと、
を具備することを特徴とするコンピュータ・プログラム。
【発明の詳細な説明】
【技術分野】
【０００１】
本発明は、比較的近距離の機器間において低消費電力の通信動作を実現する無線通信システム、データ伝送装置及びデータ伝送方法、データ処理装置及びデータ処理方法、並びにコンピュータ・プログラムに係り、特に、反射波読み取り器側からの無変調キャリアの送信と、反射器側におけるアンテナ負荷インピーダンスの切り替え操作などに基づく反射波の変調を利用してデータ通信を行なうバック・スキャッタ方式の無線通信システム、データ伝送装置及びデータ伝送方法、データ処理装置及びデータ処理方法、並びにコンピュータ・プログラムに関する。
【０００２】
さらに詳しくは、本発明は、データを保持するデータ伝送装置からデータを表示出力その他の処理を行なうデータ処理装置へ反射波伝送を用いて効率的にデータ伝送を行なう無線通信システム、データ伝送装置及びデータ伝送方法、データ処理装置及びデータ処理方法、並びにコンピュータ・プログラムに係り、特に、反射器機能を備えたデータ伝送装置から反射波読み取り器機能を備えたデータ処理装置へ反射波伝送を用いて複数のファイルを伝送する無線通信システム、データ伝送装置及びデータ伝送方法、データ処理装置及びデータ処理方法、並びにコンピュータ・プログラムに関する。
【背景技術】
【０００３】
複数の機器をネットワーク接続することにより、コマンドやデータ伝送の効率化、情報資源の共有化、ハードウェア資源の共有化を実現することができる。さらに最近では、有線方式による配線からユーザを解放するシステムとして、無線ネットワークが注目されている。
【０００４】
無線ネットワークに関する標準的な規格として、ＩＥＥＥ（Ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１や、ＨｉｐｅｒＬＡＮ／２、ＩＥＥＥ８０２．１５．３、Ｂｌｕｅｔｏｏｔｈ通信などを挙げることができる。近年、無線ＬＡＮシステムは安価になり、ＰＣにも標準内蔵されるようになったこととも相俟って、無線ＬＡＮの普及が著しい。
【０００５】
比較的小規模な無線通信システムは、家庭内などで、ホスト機器と端末機器間のデータ伝送に使用される。ここで言うホスト機器の例としては、テレビ、モニタ、プリンタ、ＰＣ、ＶＴＲ、ＤＶＤプレイヤーなど、据え置き型の家電製品が挙げられる。また、端末機器の例としては、デジタル・カメラや、ビデオ・カメラ、携帯電話、携帯情報端末、携帯型音楽再生装置など、消費電力を極力抑えたいモバイル系機器が挙げられる。この種のシステムのアプリケーションとしては、カメラ付き携帯電話やデジタル・カメラで撮った画像データを無線ＬＡＮ経由でＰＣにアップロードすることなどである。
【０００６】
例えば、Ｂｌｕｅｔｏｏｔｈ通信を良好に行なう上で有利なデジタル・カメラについて提案がなされている（例えば、特許文献１を参照のこと）。デジタル・カメラは、ケースと、ケースに設けられたシャッター・ボタンを備えているが、シャッター・ボタンはケースの上部で左右方向の一方の端部に設けられている。また、ケース内にＢｌｕｅｔｏｏｔｈ通信用のアンテナがケースの上部で左右方向の他方の端部に設けられている。
【０００７】
ところが、無線ＬＡＮは本来コンピュータでの利用を前提として設計・開発されたものであり、モバイル系機器に搭載する場合、その消費電力が問題となる。現在市販されているＩＥＥＥ８０２．１１ｂの無線ＬＡＮカードの多くは、送信時に８００ｍＷ以上、受信時に６００ｍＷ以上の消費電力がある。この消費電力は、バッテリ駆動のポータブル機器にとっては、負担が大きい。
【０００８】
無線ＬＡＮ機能を近距離限定で動作させて、その送信電力を小さくしても、消費電力は８割程度しか低下することができない。特に、デジタル・カメラなどの画像入力装置から画像表示装置側への伝送は、送信比率が通信全体のほとんど占めるような通信形態となるため、なおさら低消費電力の無線伝送手段が求められている。
【０００９】
また、Ｂｌｕｅｔｏｏｔｈ通信に関しては、伝送速度が最大でも７２０ｋｂｐｓと低速度であり、昨今の高画質化に伴い、ファイルサイズの大きくなった画像の伝送時間がかかり不便である。
【００１０】
これに対し、ＲＦＩＤで用いられるバック・スキャッタ方式に基づく反射波を利用した無線伝送によれば、例えば機器間で送信比率が通信のほとんどを占めるような通信形態において、低消費電力化を実現することができる。
【００１１】
バック・スキャッタ方式の無線通信システムは、変調処理を施した反射波によりデータを送信する反射器と、反射器からの反射波からデータを読み取る反射波読み取り器で構成される。データ伝送時には、反射波読み取り器が無変調キャリアを送信する。これに対し、反射器は、例えばアンテナの終端のオン／オフなどの負荷インピーダンス操作を用い、無変調キャリアに対し伝送データに応じた変調処理を施すことで、データを送出する。そして、反射波読み取り器側では、この反射波を受信し復調・復号処理して伝送データを取得することができる。
【００１２】
反射器は、例えば、入射する連続波の電波を反射させるアンテナと、送信データの発生回路と、送信データに対応させてアンテナのインピーダンスを変化させるインピーダンス変化回路で構成される（例えば、特許文献２を参照のこと）。
【００１３】
反射波伝送システムでは、アンテナの負荷インピーダンスを変化させる（すなわち、反射波の変調を行なう）ためのアンテナ・スイッチは一般的にガリウム砒素のＩＣで構成され、その消費電力は数１０μＷ以下であり、データ伝送を行なうときの平均電力としては、送達確認方式の場合で１０ｍＷ以下、一方向伝送では、数１０μＷでデータ伝送が可能である。これは、一般的な無線ＬＡＮの平均消費電力と比較すると、圧倒的な性能差である（例えば、非特許文献１を参照のこと）。したがって、デジタル・カメラなどのバッテリ駆動のモバイル機器に情報格納用端末装置を搭載した場合であっても、データ転送動作時の消費電力を節減することで、バッテリ寿命を大幅に延ばすことができる。
【００１４】
図２１には、反射波伝送システムの構成例を模式的に示している。図示の反射波伝送システムは、画像伝送装置１と画像表示装置２で構成される。画像表示装置２は、反射波読み取り器としての機能を備え、無変調キャリアを送出する。これに対し、画像伝送装置１は、反射器としての機能を備え、受信した無変調キャリアに対し伝送データに基づいて変調をかけた反射波を生成する。そして、画像表示装置２は、画像伝送装置１が反射した反射波をデータに復調して、表示部で表示する。
【００１５】
デジタル・スチル・カメラや、カメラ付携帯電話、ビデオ・カメラなどのポータブル画像伝送装置は、反射器の機能を装備することにより、上述した反射波伝送方式に基づいて、送信したい画像データを反射波に乗せて伝送することができる。この場合、ポータブル装置自体は自ら電波を送出する手段としてのキャリア発生源を持たなくて済むという特徴を有しており、無線ＬＡＮと比較して消費電力が圧倒的に小さくなる利点がある。
【００１６】
しかしながら、十分な受信強度の反射波を得るために、ポータブル画像伝送装置とＰＣやＴＶなどの画像表示装置との距離は数メートル程度の近距離に制限される。このため、反射波伝送システムでは、反射波を生成する画像伝送装置、あるいは画像伝送装置と画像表示装置の双方のアンテナに指向性を持たせて、ある特定の方向に大きなアンテナ利得を得ることにより、無線伝送距離を伸ばすなどの工夫を行なうことが多い。
【００１７】
図２２には、画像伝送装置と画像表示装置の双方が無指向性のアンテナを用いている場合と、画像伝送装置と画像表示装置の双方が一方向に大きな利得を得ることができる指向性アンテナを用いている場合の無線通信距離の違いを表している。
【００１８】
同図において、画像伝送装置２０１と画像表示装置２０２は無指向性アンテナを用いており、画像伝送装置２０１の反射波の到達距離は斜線２０３、画像表示装置２０２の無変調キャリアの到達距離は斜線２０４で表わされている。画像伝送装置２０５と画像表示装置２０６は無指向性アンテナを用いており、画像伝送装置２０５の反射波の到達距離は斜線２０７で表され、画像表示装置２０６の無変調キャリアの到達距離は斜線２０８で表わされている。画像伝送装置２０１と画像表示装置２０２の距離、画像伝送装置２０５と画像表示装置２０６の距離は同じとする。
【００１９】
図２２に示した例では、無指向性アンテナを用いた場合、画像表示装置２０２の無変調キャリア２０４は画像伝送装置２０１に到達しておらず、したがって、画像伝送装置２０１が反射波２０３を生成することも無く、通信は成立しない。これに対し、指向性アンテナを用いた場合には、画像表示装置２０６からの無変調キャリア２０８も、画像伝送装置２０５の反射波２０７もともに、どちらの電波も相手に到達し、通信は成立する。
【００２０】
このように、反射波伝送システムでは、画像伝送装置、あるいは画像伝送装置と画像表示装置の双方に指向性アンテナを用いることにより、無線通信距離を伸ばすことができる。その一方で、画像伝送装置と画像表示装置の向きがずれていると、通信が成立しないリスクも負う。
【００２１】
図２３には、指向性アンテナを用いた画像伝送装置３０１と画像表示装置３０２が正対していない例を示している。画像伝送装置３０１は、画像表示装置３０２の送出した無変調キャリア３０４を受信できる範囲に位置しているが、反射波３０３の反射方向が画像表示装置３０２に向いていない。このため、画像表示装置３０２は反射波３０３を受信することができず、通信が成立しない。
【００２２】
図２２及び図２３の説明からも分かるように、指向性を持つ無線通信システムでは、通信可能範囲は通信距離だけでは決まらず、ユーザは視覚的に判断することが難しい。無線画像伝送を行なうユーザは、伝送動作を開始する前にあらかじめ画像伝送装置３０１を画像表示装置３０２の方向に合わせる作業が必要になる。
【００２３】
ここで、２つの装置間でデータ転送を行なう際、一般に、データ転送元の装置において送信対象となるファイルとファイル転送先を指定してからファイル転送を行なうことになる。例えばデジタル・カメラなどの画像撮影装置が撮影画像をＰＣに転送する場合、画像撮影装置をＰＣに接続した後、転送したいファイルを指定してからＰＣへの転送処理を行なう。ここで、画像撮影装置とＰＣ間を上述した反射波伝送路で接続した場合には、ユーザは、両装置間の指向性を調整するための操作と、転送ファイルを指定する操作をともに行なう必要がある。
【００２４】
図２４には、このような場合における反射波伝送システムの通信シーケンスの一例を図解している。以下、同図を参照しながら、通信シーケンスについて説明を行なう。
【００２５】
４０１：ユーザは、画像伝送装置の操作／表示部から、画像伝送装置をデータ送信モードに切り替える。
４０２：ユーザは、画像表示装置の操作／表示部から、画像表示装置をデータ受信モードに切り替える。
４０３：画像表示装置は、無変調キャリアの連続送信を開始する。
４０４：ユーザは、画像伝送装置の操作／表示部から送信ファイルを選択する。
４０５：ユーザは、画像伝送装置を画像表示装置の方向に向きを合わせる。
４０６：ユーザは、画像伝送装置の操作／表示部から送信ボタンを押下する。
４０７：画像伝送装置は、データ送信要求パケットを画像表示装置に送信する。
４０８：画像表示装置は、データ送信要求パケットを受信すると、無変調キャリアの連続送信を停止する。
４０９：画像表示装置は、受信したデータ送信要求パケットに誤りがあればＮＡＣＫを生成する。また、誤りが無く、且つ送信を許可するならば、送信許可パケットを生成し、ＡＳＫ変調をかけて送信する。
４１０：画像表示装置は、送信許可パケットの送信を完了すると、再び無変調キャリアを連続送信する。
４１１：画像伝送装置は、送信許可パケットを受信すると、送信データ・パケットを送信する。
４１２：画像表示装置は、データ・パケットを受信すると、無変調キャリアの連続送信を停止する。
４１３：画像表示装置は、受信したデータ・パケットに誤りがあればＮＡＣＫを、誤りが無ければＡＣＫパケットを生成し、ＡＳＫ変調をかけて送信する。
４１４：画像表示装置は、ＡＣＫ／ＮＡＣＫパケットの送信を完了すると、再び無変調キャリアを連続送信する。
４１５：画像伝送装置から画像表示装置への送信データがなくなるまで、４１１〜４１４のシーケンスが繰り返される。
４１６：画像伝送装置から画像表示装置へのデータの送信が完了する。
４１７：ユーザは、まだ送信したいファイルがある場合、画像伝送装置の操作／表示部から次の送信ファイルを選択する。
４１８〜４２８は、上記４０４〜４１５と同じである。
【００２６】
このように、反射波伝送システムでは、ファイルを送る度に、ユーザが画像伝送装置を画像表示装置の方向に合わせる作業が発生し、幾つも送りたいファイルがあるときには大変な手間がかかる。例えば、転送したいファイルを逐次指定した後、画像表示装置へ指向性を調整するという作業を繰り返すことは、とても煩わしい。
【００２７】
【特許文献１】特開２００４−５６７１１号公報
【特許文献２】特開平０１−１８２７８２号公報
【非特許文献１】特願２００３−２９１８０９号明細書
【発明の開示】
【発明が解決しようとする課題】
【００２８】
本発明の目的は、反射波読み取り器側からの無変調キャリアの送信と、反射器側におけるアンテナ負荷インピーダンスの切り替え操作などに基づく反射波の変調を利用してデータ通信を好適に行なうことができる、バック・スキャッタ方式の優れた無線通信システム、データ伝送装置及びデータ伝送方法、データ処理装置及びデータ処理方法、並びにコンピュータ・プログラムを提供することにある。
【００２９】
本発明のさらなる目的は、データを保持するデータ伝送装置からデータを表示出力その他の処理を行なうデータ処理装置へ、反射波伝送を用いて効率的にデータ伝送を行なうことができる、優れた無線通信システム、データ伝送装置及びデータ伝送方法、データ処理装置及びデータ処理方法、並びにコンピュータ・プログラムを提供することにある。
【００３０】
本発明のさらなる目的は、反射器機能を備えたデータ伝送装置から反射波読み取り器機能を備えたデータ処理装置へ、反射波伝送を用いて複数のファイルを効率的に伝送することができる、優れた無線通信システム、データ伝送装置及びデータ伝送方法、データ処理装置及びデータ処理方法、並びにコンピュータ・プログラムを提供することにある。
【００３１】
本発明のさらなる目的は、反射器機能を備えたデータ伝送装置から反射波読み取り器機能を備えたデータ処理装置へ、アンテナ指向性を調整しながら複数のファイルを効率的に反射波伝送することができる、優れた無線通信システム、データ伝送装置及びデータ伝送方法、データ処理装置及びデータ処理方法、並びにコンピュータ・プログラムを提供することにある。
【課題を解決するための手段】
【００３２】
本発明は、上記課題を参酌してなされたものであり、データ伝送装置からデータ処理装置へ１以上のファイルを伝送する無線通信システムであって、データ伝送元となるデータ伝送装置において伝送可能なファイルをデータ伝送先となるデータ処理装置において表示し送信ファイルを選択することが可能なインターフェースを提供することを特徴とする無線通信システムである。ここで、前記データ伝送装置は受信した搬送波に対する反射波を送信データに従って変調してデータ送信し、前記データ処理装置は搬送波を送信するとともに搬送波に対する反射波を受信しデータを復調することにより、前記データ伝送装置と前記データ処理装置間で反射波伝送を行なうことができる。
【００３３】
但し、ここで言う「システム」とは、複数の装置（又は特定の機能を実現する機能モジュール）が論理的に集合した物のことを言い、各装置や機能モジュールが単一の筐体内にあるか否かは特に問わない。
【００３４】
本発明に係る無線伝送システムは、比較的近距離に限定される機器間で送信比率が通信のほとんどを占めるような通信形態において、低消費電力化を実現することを目的とするものであり、ＲＦＩＤで用いられるバック・スキャッタ方式に基づく反射波の変調を利用して無線伝送を行なう。ＲＦＩＤシステム自体は、超近距離でのみ適用可能な無線通信手段の一例として当業界において広く知られている。
【００３５】
ここで、反射波伝送システムでは、反射波読み取り器から送信された無変調キャリアが反射器に到来するまでに減衰する。さらに、反射時に信号強度が低下し、反射波が反射波読み取り器に到来するまでに減衰する。そこで、十分な受信強度の反射波を得るために、反射器と反射波読み取り器のうち少なくとも一方にアンテナ指向性を持たせ、ある特定の方向に大きなアンテナ利得を得ることにより、無線伝送距離を伸ばすといった工夫を行なうことが多い。
【００３６】
ところが、この場合、ファイルを送る度にユーザは反射器と反射波読み取り器の指向性を調整する作業が必要となる。例えば、幾つものファイルを送りたい場合には、転送したいファイルを逐次指定した後に指向性を調整するという作業を繰り返すことにより、大変な手間がかかる。
【００３７】
本発明に係る無線通信システムでは、データ伝送元となるデータ伝送装置は、メモリに格納しているファイルの情報をデータ伝送先であるデータ処理装置に送る機能を有する。そして、データ処理装置の表示部上で送信ファイルを選択する機能を設けることにより、データ伝送装置の指向性が常にデータ処理装置に向けられた状態でユーザが複数のファイル送信ができるようなインターフェースを提供する。
【００３８】
したがって、本発明によれば、データ伝送装置からデータ処理装置に幾つものファイルの送信を行なう際に、ファイル送信の度にデータ伝送装置の指向性の調整に要する手間を省くことができる。
【発明の効果】
【００３９】
本発明によれば、反射器機能を備えたデータ伝送装置から反射波読み取り器機能を備えたデータ処理装置へ、反射波伝送を用いて複数のファイルを効率的に伝送することができる、優れた無線通信システム、データ伝送装置及びデータ伝送方法、データ処理装置及びデータ処理方法、並びにコンピュータ・プログラムを提供することができる。
【００４０】
また、本発明によれば、反射器機能を備えたデータ伝送装置から反射波読み取り器機能を備えたデータ処理装置へ、アンテナ指向性を調整しながら複数のファイルを効率的に反射波伝送することができる、優れた無線通信システム、データ伝送装置及びデータ伝送方法、データ処理装置及びデータ処理方法、並びにコンピュータ・プログラムを提供することができる。
【００４１】
本発明によれば、ユーザは、画像伝送装置から画像表示装置に送信しようとするファイルを画像表示装置（あるいは画像表示装置に接続されたホスト機器）上に表示されるファイル・リストから選択・決定することができる。したがって、幾つものファイルの送信を行なう際に、各ファイルを送信する度に画像伝送装置の指向性の調整を行なう作業が不要になり、操作性が向上する。
【００４２】
本発明のさらに他の目的、特徴や利点は、後述する本発明の実施形態や添付する図面に基づくより詳細な説明によって明らかになるであろう。
【発明を実施するための最良の形態】
【００４３】
以下、図面を参照しながら本発明の実施形態について詳解する。
【００４４】
本発明は、比較的近距離に限定される機器間で送信比率が通信のほとんどを占めるような通信形態において、低消費電力の通信動作により、電化製品などの機器制御、画像などの大容量データ伝送、並びに相互通信を実現することを目的とするものであり、ＲＦＩＤで用いられるバック・スキャッタ方式に基づく反射波を利用して無線伝送を行なうものである。
【００４５】
ＲＦＩＤシステム自体は、局所でのみ適用可能な無線通信手段の一例として当業界において広く知られている。タグとリーダライタの間の通信方法には、電磁結合方式、電磁誘導方式、電波通信方式などが挙げられる。本発明は、このうち、２．４ＧＨｚ帯などのマイクロ波を用いた電波通信方式に関連する。
【００４６】
図１には、本発明の一実施形態に係る反射波伝送システムの構成例を示している。
【００４７】
ホスト１は、ＲＦ機能部１１と、ホスト通信制御機能部１２と、ホスト機能部１３で構成される。ＲＦ機能部１１は、反射波伝送システムにおける反射波読み取り器として動作する。
【００４８】
ホスト機能部１３は、例えば、テレビ、モニタ、プリンタ、ＰＣ、ＶＴＲ、ＤＶＤプレイヤーを始めとする据え置き型の家電製品などの、受信データを処理又は再生出力するホスト機器で構成される。
【００４９】
一方、端末２は、ＲＦ機能部２１と、端末通信機能制御機能部２２と、顛末機能部２３で構成される。ＲＦ機能部２１は、反射波伝送システムにおける反射器として動作する。
【００５０】
端末機能部２３は、例えばデジタル・カメラや、ビデオ・カメラ、携帯電話、携帯情報端末、携帯型音楽再生装置など、伝送データの供給元となるモバイル系の端末機器などで構成される。
【００５１】
ホスト機能部１３から送信されたデータは、制御インターフェース１４を介してホスト通信制御機能部１２の変調機能部１２１において変調される。そして、変調信号１５はＲＦ機能部１１のキャリア発生源１１１によって生成された無変調キャリア３１に載せられて端末２に送信される。ホスト１から端末２へのダウンリンクには、一般に、端末２側での検波の容易性を考慮してＡＳＫが使用される。端末２のＲＦ機能部２１は無変調キャリア３１を受信し、復調信号２５を得る。復調信号２５は、復調機能部２２３によってデータ復調され、制御インターフェース２４を介して端末機能部２３に受信される。
【００５２】
端末２の端末機能部２３によって送信されたデータは、通信制御機能部２２の変調機能部２２２によって変調される。変調信号２６は、ＲＦ機能部２６において、無変調キャリア３１を検波して得られる反射波３２に載せられ、ホスト１に送信される。ホスト１のＲＦ機能部１１は、反射波３２を受信し、復調信号１６を得る。復調信号１６は復調機能部１２３によってデータ復調され、制御インターフェース１４を介してホスト機能部１３に受信される。
【００５３】
また、以上のデータ送受信機能に加え、ホスト１及び端末２に相互で機能するプロトコル機能部（１２１，２２１）をそれぞれの通信制御機能部（１２， ２２）に設けることで、ホスト１と端末２の間で接続や切断などのプロトコル制御が実現される。
【００５４】
反射波伝送システムにおいては、端末２のＲＦ機能部２１にキャリア発生源が不要であることが、低消費にシステムを駆動することができる。また端末側の変調を多値変調することで、端末からホスト方向に対し高速通信を実現することができる。
【００５５】
端末１は例えばデジタル・スチル・カメラやデジタル・ビデオ・カメラであり、ホスト２は例えばテレビやプリンタである。端末１からホスト２に対しての静止画や動画のアップロードが行なわれ、表示、プリントアウトなどが行なわれることが想定される。
【００５６】
端末１からホスト２へのアップリンクでは、ＡＳＫやＢＰＳＫなどの低ビットレートの変調方式が一般的であるが、本発明の要旨はこれに限定されるものではない。反射波の変調時に、アンテナの終端処理などの負荷インピーダンスの操作に加え、反射波が往復する信号路上で位相差を与えることによって、ＱＰＳＫや８相ＰＳＫ変調など、より高いビットレートの多値の変調方式を実現することができる。例えば、本出願人に既に譲渡されている特願２００３−３５２２２３号明細書には、ＱＰＳＫ変調処理を取り入れたバック・スキャッタ方式の通信システムについて開示されている。
【００５７】
一方、ホスト１における変調は、端末２側での検波の容易性を考慮してＡＳＫが使用される（前述）。このため、ホスト１から端末２へのダウンリンクは低データレートとなり、反射波伝送システムはアップリンクとダウンリンクで伝送速度が異なる非対称な伝送路となる。
【００５８】
反射波伝送システムでは、一般に、十分な受信強度の反射波を得るために、反射器と反射波読み取り器のうち少なくとも一方にアンテナ指向性を持たせ、ある特定の方向に大きなアンテナ利得を得ることにより、無線伝送距離を伸ばすようにしている。この場合、ファイルを送る度にユーザは反射器と反射波読み取り器の指向性を調整する作業が必要となる。例えば、幾つものファイルを送りたい場合には、転送したいファイルを逐次指定した後に指向性を調整するという作業を繰り返すことにより、大変な手間がかかる。
【００５９】
そこで、本実施形態では、画像伝送装置から画像表示装置に幾つものファイルの送信を行なう際に、ファイル送信の度に画像伝送装置の指向性の調整に要する手間を省くようにしている。具体的には、画像伝送装置は、画像伝送装置内のメモリに格納されているファイルの情報を画像表示装置に送る機能を有する。そして、画像表示装置の表示部上で送信ファイルを選択する機能を設けることにより、画像伝送装置が常に画像表示装置に向けられた状態でユーザが複数のファイル送信ができるようなインターフェースを提供する。
【００６０】
図２には、本実施形態に係る反射波伝送システムにおいて、反射器機能を備えた画像伝送装置から反射波読取器機能を備えた画像表示装置へ画像データを伝送するための通信シーケンスの一例を示している。以下、同図を参照しながら通信シーケンスについての説明を行なう。
【００６１】
５０１：ユーザは、画像伝送装置の操作／表示部から、画像伝送装置をデータ送信モードに切り替える。
５０２：ユーザは、画像表示装置の操作／表示部から、画像表示装置をデータ受信モードに切り替える。
５０３：画像表示装置は、無変調キャリアの連続送信を開始する。
５０４：ユーザは、画像伝送装置を画像表示装置の方向に向きを合わせる。
５０５：ユーザは、画像伝送装置の操作／表示部から送信ボタンを押下する。
５０６：画像伝送装置は、データ送信要求パケットを画像表示装置に送信する。
５０７：画像表示装置は、データ送信要求パケットを受信すると、無変調キャリアの連続送信を停止する。
５０８：画像表示装置は、受信したデータ送信要求パケットに誤りがあれば、ＮＡＣＫを生成し、ＡＳＫ変調をかけて送信する。また、誤りが無く、且つ送信を許可するならば。送信許可パケットを生成し、ＡＳＫ変調をかけて送信する。
５０９：画像表示装置は、送信許可パケットの送信を完了すると、再び無変調キャリアを連続送信する。
５１０：画像伝送装置は、ファイル・リスト・パケットを画像表示装置に送信する。
５１１：画像表示装置は、ファイル・リスト・パケットを受信すると、無変調キャリアの連続送信を停止する。
５１２：画像表示装置は、ＡＣＫ／ＮＡＣＫパケットを生成し、ＡＳＫ変調をかけて送信する。
５１３：画像表示装置は、ＡＣＫ／ＮＡＣＫパケットの送信を完了すると、再び無変調キャリアを連続送信する。
５１４：画像伝送装置から画像表示装置へ送信するファイル・リストのデータがなくなるまで、５１０〜５１３のシーケンスが繰り返される。
５１５：画像伝送装置は、ファイル・リスト・パケットの送信を完了。
５１６：画像伝送装置は、ファイル・リスト送信完了パケットを画像表示装置に送信する。
５１７：画像表示装置は、ファイル・リスト送信完了パケットを受信すると、無変調キャリアの連続送信を停止する。
５１８：画像表示装置は、受信したファイル・リスト送信完了パケットに誤りがあればＮＡＣＫを生成し、誤りがないならＡＣＫパケットを生成し、ＡＳＫ変調をかけて送信する。また、誤りがないなら、完成したファイル・リストを表示部に表示する。
５１９：画像表示装置は、ＡＣＫ／ＮＡＣＫパケットの送信を完了すると、再び無変調キャリアを連続送信する。
５２０：ユーザは、画像表示装置の表示部を見ながら、画像伝送装置の操作／表示部からカーソル・キーの入力を行なう。
５２１：画像伝送装置は、カーソル移動コマンド・パケットを画像表示装置に送信する。
５２２：画像表示装置は、カーソル移動コマンド・パケットを受信すると、無変調キャリアの連続送信を停止する。
５２３：画像表示装置は、受信したカーソル移動コマンド・パケットに誤りがあればＮＡＣＫを生成し、誤りがないならＡＣＫパケットを生成し、ＡＳＫ変調をかけて送信する。また、表示部上のカーソル位置をコマンドに従って移動させ、表示する。
５２４：画像表示装置は、ＡＣＫ／ＮＡＣＫパケットの送信を完了すると、再び無変調キャリアを連続送信する。
５２５：ユーザが決定ボタンを押下するまで、５２０〜５２４のシーケンスが繰り返される。
５２６：ユーザは、画像伝送装置の操作／表示部から決定ボタンを押下する。
５２７：画像伝送装置は、決定コマンド・パケットを画像表示装置に送信する。
５２８：画像表示装置は、決定コマンド・パケットを受信すると、無変調キャリアの連続送信を停止する。
５２９：画像表示装置は、受信した決定コマンド・パケットに誤りがあればＮＡＣＫを生成し、誤りがないなら送信ファイル要求パケットを生成し、ＡＳＫ変調をかけて送信する。また、表示部に送信要求中のファイル名を表示する。
５３０：画像表示装置は、送信ファイル要求パケットの送信を完了すると、再び無変調キャリアを連続送信する。
５３１：画像伝送装置は、送信ファイル要求パケットを受信すると、要求されたファイルをメモリから読み出す。
５３２：画像伝送装置は、データ・パケットを送信する。
５３３：画像表示装置は、データ・パケットを受信すると、無変調キャリアの連続送信を停止する。
５３４：画像表示装置は、受信したデータ・パケットに誤りがあればＮＡＣＫを、誤りが無ければＡＣＫパケットを生成し、ＡＳＫ変調をかけて送信する。
５３５：画像表示装置は、ＡＣＫ／ＮＡＣＫパケットの送信を完了すると、再び無変調キャリアを連続送信する。
５３６：画像伝送装置から画像表示装置への送信データがなくなるまで、５３２〜５３５のシーケンスが繰り返される。
５３７：画像伝送装置は、ファイルの送信を完了する。
５３８：画像伝送装置は、ファイル送信完了パケットを画像表示装置に送信する。
５３９：画像表示装置は、ファイル送信完了パケットを受信すると、無変調キャリアの連続送信を停止する。
５４０：画像表示装置は、受信したファイル送信完了パケットに誤りがあればＮＡＣＫを生成し、誤りがないならＡＣＫパケットを生成し、ＡＳＫ変調をかけて送信する。また、誤りがないなら、完成したファイル・データを表示部に表示する。
５４１：画像表示装置は、ＡＣＫ／ＮＡＣＫパケットの送信を完了すると、再び無変調キャリアを連続送信する。
５４２：ユーザは、画像伝送装置の操作／表示部から送信ボタンを押下する。
５４３：画像伝送装置は、データ送信要求パケットを画像表示装置に送信する。
５４４：画像表示装置は、データ送信要求パケットを受信すると、無変調キャリアの連続送信を停止する。
５４５：画像表示装置は、受信したデータ送信要求パケットに誤りがあればＮＡＣＫを生成し、ＡＳＫ変調をかけて送信する。また、パケットに誤りが無く、且つ送信を許可するならば送信許可パケットを生成し、ＡＳＫ変調をかけて送信する。そして、ファイル・リストを表示部に表示する。
５４６：画像表示装置は、送信許可パケットの送信を完了すると、再び無変調キャリアを連続送信する。
５４７：ユーザは、画像表示装置の表示部を見ながら、画像伝送装置の操作／表示部からカーソル・キーの入力を行なう。
５４８：画像伝送装置は、カーソル移動コマンド・パケットを画像表示装置に送信する。
５４９：画像表示装置は、カーソル移動コマンド・パケットを受信すると、無変調キャリアの連続送信を停止する。
５５０：画像表示装置は、受信したカーソル移動コマンド・パケットに誤りがあればＮＡＣＫを生成し、誤りがないならＡＣＫパケットを生成し、ＡＳＫ変調をかけて送信する。また、表示部上のカーソル位置をコマンドに従って移動させ、表示する。
５５１：画像表示装置は、ＡＣＫ／ＮＡＣＫパケットの送信を完了すると、再び無変調キャリアを連続送信する。
５５２：ユーザが決定ボタンを押下するまで、５２０〜５２４のシーケンスが繰り返される。
５５３：ユーザは、画像伝送装置の操作／表示部から決定ボタンを押下する。
５５４：画像伝送装置は、決定コマンド・パケットを画像表示装置に送信する。
５５５：画像表示装置は、決定コマンド・パケットを受信すると、無変調キャリアの連続送信を停止する。
５５６：画像表示装置は、受信した決定コマンド・パケットに誤りがあればＮＡＣＫを生成し、誤りがないなら送信ファイル要求パケットを生成し、ＡＳＫ変調をかけて送信する。また、表示部に送信要求中のファイル名を表示する。
５５７：画像表示装置は、送信ファイル要求パケットの送信を完了すると、再び無変調キャリアを連続送信する。
５５８：画像伝送装置は、送信ファイル要求パケットを受信すると、要求されたファイルをメモリから読み出す。
５５９：画像伝送装置は、データ・パケットを送信する。
５６０：画像表示装置は、データ・パケットを受信すると、無変調キャリアの連続送信を停止する。
５６１：画像表示装置は、受信したデータ・パケットに誤りがあればＮＡＣＫを、誤りが無ければＡＣＫパケットを生成し、ＡＳＫ変調をかけて送信する。
５６２：画像表示装置は、ＡＣＫ／ＮＡＣＫパケットの送信を完了すると、再び無変調キャリアを連続送信する。
５６３：画像伝送装置から画像表示装置への送信データがなくなるまで、５５９〜５６２のシーケンスが繰り返される。
【００６２】
ファイル・リスト・パケット、カーソル移動コマンド・パケット、決定コマンド・パケット、並びにファイル要求コマンド・パケットのフレーム構成をそれぞれ図１７〜図２０に示しておく。
【００６３】
図３には、画像伝送装置のハードウェア構成を模式的に示している。図示の画像伝送装置１２００は、デジタル・カメラやカメラ付き携帯電話などの画像データの伝送元となる機器に相当し、例えばバッテリ（図示しない）を主電源として駆動する。
【００６４】
デジタル・カメラ単体としては、カメラ部１２０２と、信号処理部１２０３と、メモリ・カード・インターフェース部１２０４と、操作／表示部１２０５と、ＵＳＢインターフェース部１２０６で構成される。
【００６５】
信号処理部１２０３は、カメラ部１２０２で入力された画像データをＪＰＥＧ （Ｊｏｉｎｔ Ｐｈｏｔｏｇｒａｐｈｉｃ Ｅｘｐｅｒｔｓ Ｇｒｏｕｐ）などの所定のフォーマットの画像データに変換し、メモリ・カード・インターフェース部１２０４を介して外部のメモリ・カード１２０７に格納する。
【００６６】
操作表示部１２０５は、画像表示、各種設定などを行なう。ＵＳＢインターフェース部１２０６は、ＰＣにＵＳＢインターフェースを用いて画像転送を行なう際に使用される。
【００６７】
無線伝送モジュール１２０８は、アンテナ１２０９と、アンテナ・スイッチ１２１０と、アンテナ負荷１２１１と、バンドパス・フィルタ１２１２と、ＡＳＫ検波部１２１３とで構成される。本実施形態では、無線電波の周波数として２．４ＧＨｚ帯を用いる。
【００６８】
画像転送を行なう場合、無線伝送モジュール部１２０８は、信号処理部１２０３によってメモリ・カード１２０７より読み出された画像データを受け取ると、データのビット・イメージに従ってアンテナ１２０９に接続されたアンテナ・スイッチ１２１０のオン／オフ動作を行なう。例えば、データが１のときはアンテナ・スイッチ１２１０をオンに、データが０のときオフとする。
【００６９】
図示の通り、アンテナ・スイッチ１２１０がオンのときは、アンテナ１２０９は５０Ωのアンテナ負荷１２１１で終端され、オフのときは、アンテナ１２０９はオープンとなる。この動作は、転送先から到来する電波（後述）に対して、オンのときは終端、オフのときは反射の振る舞いをすることから、転送先では、送信電波の反射を検出ことによって画像データを読み取ることができる。すなわち、画像データは、基本的に、アンテナ・スイッチ１２１０のオン／オフ操作に伴うアンテナ負荷インピーダンスの変動によって生じる転送先からの電波の反射波として送信されることになる。
【００７０】
図示の例では、無線伝送モジュール１２０８からの反射波信号は、ＡＳＫ変調波と等価である。但し、反射波信号の変調方式はＡＳＫ変調には限定されず、アンテナ負荷インピーダンスの切替に加え、受信電波の反射信号路上で位相差を与えるなどしてＰＳＫ変調を行なうようにしてもよい（前述）。
【００７１】
アンテナ・スイッチ１２１０は一般的にガリウム砒素のＩＣで構成され、その消費電力は数１０μＷ以下である。したがって、上述した通信方式によれば、超低消費の無線画像伝送を実現することができる。
【００７２】
バンドパス・フィルタ１２１２、ＡＳＫ検波部１２１３は、転送先からＡＳＫ変調された送達確認信号の受信時に用いるが、この２つのブロックは、伝送の送達確認を行なわない一方向の伝送であれば不要となる。一方、送達確認が行なわれる場合、その制御は、信号処理部１２０３で行なわれる。
【００７３】
バンドパス・フィルタ１２１２は、２．４ＧＨｚ帯の周波数を通過させ、他の周波数帯を減衰される目的で使用される。送達確認を行なう場合に必要なＡＳＫ検波部１２１３の消費電力は３０ｍＷ以下で実現することができる。
【００７４】
したがって、図３に示した画像伝送装置１２００において画像データの伝送を行なうときの平均電力としては、送達確認方式の場合で１０ｍＷ以下、一方向伝送では、数１０μＷでデータ伝送が可能である。これは、一般的な無線ＬＡＮの平均消費電力と比較すると、圧倒的な性能差である。
【００７５】
図４〜図９には、画像伝送装置１２００の信号処理部１２０３における処理動作の手順をフローチャートの形式で示している。
【００７６】
図４には、データ送信モード下での処理動作を示している。画像伝送装置１２００の信号処理部１２０３は、ユーザによって、データ送信モードに切り替えられると、操作／表示部１２０５の送信ボタン入力を待ち受ける（ステップＳ６１０）。
【００７７】
このとき、データ送信モード終了要求を受けたら（ステップＳ６８０）、ファイル・リスト送信履歴を削除し（ステップＳ６９０）、データ送信モードを終了する。
【００７８】
送信ボタンが入力された場合（ステップＳ６１０）、データ送信要求パケット送信シーケンス（ステップＳ６２０）を実行する。
【００７９】
次に、ファイル・リストの送信履歴があるかどうかを調べる（ステップ630）。ファイル・リストの送信履歴が無い場合は、ファイル・リスト送信シーケンスを実行してから（ステップＳ６４０）、ユーザ・コマンド送信シーケンスを実行する（ステップＳ６５０）。ファイル・リストの送信履歴がある場合は、ファイル・リスト送信シーケンスは実行せずに、ユーザ・コマンド送信シーケンスを実行する（ステップＳ６５０）。
【００８０】
画像伝送装置１２００の信号処理部１２０３は、ファイル送信を完了すると、再び操作／表示部１２０５の送信ボタン入力（ステップＳ６１０）とデータ送信モード終了要求 (ステップＳ６８０)を待ち受ける。
【００８１】
図５には、画像伝送装置１２００におけるデータ送信要求パケット送信シーケンスをフローチャートの形式で示している。
【００８２】
データ送信要求パケット送信シーケンスが開始されると、データ送信要求パケットが生成され（ステップＳ６２１）、送信された後（ステップＳ６２２）、送信タイマを起動する（ステップＳ６２３）。この送信タイマは、ある一定期間でタイムアウトし、送信タイミングを生成するために用いられる。
【００８３】
画像伝送装置１２００の信号処理部１２０３は、送信タイマのタイムアウトを監視する（ステップＳ６２４）。タイムアウトしたら、受信パケットのＣＲＣ判定結果をチェックする（ステップＳ６２５）。そして、パケット誤りが無いとの判定であれば、受信したパケットがＮＡＣＫであるかどうかを調べる（ステップＳ６２６）。
【００８４】
受信したパケットがＮＡＣＫであった場合、データ送信要求パケットの再送を行なう（ステップＳ６２２）。受信したパケットがＮＡＣＫではない場合、送信許可パケットであるかどうかをさらに調べる（ステップＳ６２７）。受信したパケットが送信許可パケットでないならば、画像伝送装置１２００の信号処理部１２０３はデータ送信モードを終了する。受信したパケットが送信許可パケットならば、画像伝送装置１２００の信号処理部１２０３はデータ送信要求送信シーケンスを完了する。
【００８５】
図６には、画像伝送装置１２００におけるファイル・リストの送信シーケンスをフローチャートの形式で示している。
【００８６】
ファイル・リスト送信シーケンスが開始されると、メモリ・カード１２０７に保存されているファイルの情報を、メモリ・カード・インターフェース部１２０４を介して読み出し、ファイル・リストを作成する（ステップＳ６４１）。ファイル・リストは、メモリ内に保存されているファイル名や、そのファイルのサイズ、更新日時などで構成される。
【００８７】
次に、ファイル・リストから送信パケットを生成し（ステップＳ６４２）、パケット送信シーケンスを実行する（ステップＳ６４３）。次に、ファイル・リストをすべて送信し終えたかどうかを判定する（ステップＳ６４４）。未送信のファイル・リストがあれば、パケット生成（ステップＳ６４２）とパケット送信（ステップＳ６４３）を繰り返す。
【００８８】
ファイル・リストの送信を完了すると、画像表示装置にファイル・リストの送信完了を通達するためのファイル・リスト送信完了パケットを生成し（ステップＳ６４５）、パケット送信を行ない（ステップＳ６４６）、ファイル・リスト送信履歴を作成して（ステップＳ６４７）、ファイル・リスト送信シーケンスを完了する。ファイル・リスト送信履歴は、ファイル・リストの送信を終えているか否かを表す情報であり、例えば、ファイル・リストの送信を終えていれば１を、終えていなければ０を設定する。
【００８９】
図７には、画像伝送装置１２００におけるコマンド送信シーケンスをフローチャートの形式で示している。
【００９０】
コマンド送信シーケンスが開始されると、画像伝送装置１２００の信号処理部１２０３は、操作／表示部１２０５の入力情報を待ち受ける（ステップＳ６５１）。
【００９１】
信号処理部１２０３は、操作／表示部１２０５からカーソル・キー入力を受けると（ステップＳ６５２）、カーソル移動コマンド・パケットを生成し（ステップＳ６６０）、パケット送信を行なって（ステップＳ６６１）、再び操作／表示部１２０５の入力情報を待ち受ける（ステップＳ６５１）。
【００９２】
信号処理部１２０３は、操作／表示部１２０５か決定ボタン入力を受けると（ステップＳ６５３）、決定コマンド・パケットを生成し（ステップＳ６５４）、生成パケットを送信した後（ステップＳ６５５）、送信タイマを起動する（ステップＳ６５６）。
【００９３】
次に、送信タイマのタイムアウトを監視し(ステップＳ６５７)、タイムアウトしたら、受信パケットのＣＲＣ判定結果をチェックする（ステップＳ６５８）。ここで、パケット誤りがあれば決定コマンド・パケットの際送信を行なう（ステップＳ６５５）。パケット誤りが無いとの判定であれば、受信したパケットが送信ファイル要求パケットであるかどうかをさらに調べる（ステップＳ６５９）。受信したパケットが送信ファイル要求パケットでない場合は、決定コマンド・パケットの際送信を行なう（ステップＳ６５５）。受信したパケットが送信ファイル要求パケットであれば、画像伝送装置１２００の信号処理部１２０３は、コマンド送信シーケンスを完了する。
【００９４】
図８には、画像伝送装置１２００におけるファイル送信シーケンスをフローチャートの形式で示している。
【００９５】
ファイル送信シーケンスが開始されると、コマンド送信シーケンスで受信した送信ファイル要求パケットで要求されたファイルをメモリ・カード１２０７から読み出し（ステップＳ６７１）、データ・パケットを生成して（ステップＳ６７２）、パケット送信シーケンスを実行する（ステップＳ６７３）。
【００９６】
次に、ファイル・データをすべて送信し終えたかどうかを判定し（ステップＳ６７４）、ファイル送信が完了していなければ、ファイル・データからデータ・パケット生成（ステップＳ６７２）とパケット送信（ステップＳ６７３）を繰り返す。
【００９７】
ファイル・データの送信を完了すると、画像表示装置にファイルの送信完了を通達するためのファイル送信完了パケットを生成し（ステップＳ６７５）、パケット送信を行ない（ステップＳ６７６）、ファイル送信シーケンスを完了する。
【００９８】
図９には、画像伝送装置１２００におけるパケット送信シーケンスをフローチャートの形式で示している。パケット送信シーケンスが開始されると、生成済みの送信パケットの送信を行ない（ステップＳ６９１）、送信タイマを起動する（ステップＳ６９２）。
【００９９】
次に、送信タイマのタイムアウトを監視し(ステップＳ６９３)、タイムアウトしたら、受信パケットのＣＲＣ判定結果をチェックする（ステップＳ６９４）。パケット誤りが無いとの判定であれば、受信したパケットがＡＣＫであるかどうかをさらに調べる（ステップＳ６９５）。受信したパケットがＡＣＫでない場合には、パケットの再送を行ない（ステップＳ６９１）、受信したパケットがＡＣＫであれば、パケット送信シーケンスを完了する。
【０１００】
図１０には、画像表示装置のハードウェア構成を模式的に示している。図示の画像表示装置１７００は、受信した画像データを表示出力するＰＣやテレビ、印刷出力するプリンタなどの画像再生装置に相当する。
【０１０１】
本実施形態では、画像データは反射波で伝送されるため、無線受信モジュール１７００は、反射波読み取り器機能を備え、反射波を作り出すための無変調のキャリアを送信する。無線受信モジュール１７００は、２．４ＧＨｚ帯のアンテナ１７０１と、サーキュレータ１７０２と、受信部１７０３と、送信部１７０６と、周波数シンセサイザ１７０９と、通信制御部１７１０と、ホスト・インターフェース部４１１で構成される。さらに、受信部１７０３は、直交検波部１７０４とＡＧＣアンプ１７０５)で構成され、送信部１７０６は、ミキサ１７０８とパワー・アンプ１７０７で構成される。ホスト・インターフェース部１７１１は、ＰＣなどのホスト機器１７１２に接続され、受信した画像データを転送する。
【０１０２】
無線受信モジュール１７００から無変調キャリアを送信するためには、通信制御部１７１０からミキサ１７０８に対してある直流電圧を与えることにより実現される。送信する無変調キャリアの周波数は、通信制御部１７１０から制御される周波数シンセサイザ１７０９の周波数で決まる。本実施形態では、２．４ＧＨｚ帯を用いている。ミキサ１７０８から出力される無変調キャリアは、パワー・アンプ１７０７にて所定のレベルまで増幅され、サーキュレータ１７０２経由でアンテナ１７０１より送出される。
【０１０３】
画像伝送装置１２００からの反射波は、無線受信モジュール１７００（前述）から送信される周波数と同じである。この反射波は、アンテナ１７０１で受信され、サーキュレータ１７０２経由で受信部１７０３に入力される。直交検波部１７０４には、周波数シンセサイザ１７０９から供給される送信と同じローカル周波数が入力されるため、直交検波部１７０４の出力には、画像伝送装置１２００で掛けられたＡＳＫ変調波が現れることになる。 但し、受信した信号はローカル信号と位相が異なるため、Ｉ軸信号とＱ軸信号には、その位相差に応じた変調信号が現われる。
【０１０４】
ＡＧＣアンプ部１７０５では、最適値にゲインを制御され、その出力信号は、通信制御部１７１０に渡される。通信制御部１７１０では、Ｉ軸及びＱ軸の各信号よりデジタル・データへの復調を行ない、正しいデータはホスト・インターフェース部１７１１経由でホスト機器１７１２に転送される。
【０１０５】
画像伝送装置１２００からのデータの送達確認を行なう場合、通信制御部１７１０は、受信したパケット・データが正しければ肯定応答のＡＣＫ（Ａｃｋｎｏｗｌｅｄｇｅｍｅｎｔ）を、誤っていれば否定応答のＮＡＣＫ(Ｎｅｇａｔｉｖｅ Ａｃｋｎｏｗｌｅｄｇｅｍｅｎｔ)のデジタル・データをミキサ１７０８に転送し、ＡＳＫ変調をかける。データの正誤は、画像データ・パケットに付加されたＣＲＣ（Ｃｙｃｌｉｃ Ｒｅｄｕｎｄａｎｃｙ Ｃｈｅｃｋ）符号で判断する。
【０１０６】
図１１〜図１４には、画像表示装置１７００の通信制御部１７１０における処理動作の手順をフローチャートの形式で示している。
【０１０７】
画像表示装置１７００の通信制御部１７１０は、ホスト・インターフェース部１７１１を介して接続されるホスト機器１７１２によって、データ受信モードに切り替えられると、無変調キャリアの連続送信を開始し（ステップＳ１３４１）、受信パケットを待ち受ける（ステップＳ１３４２）。
【０１０８】
受信パケットを待ち受け中にホスト機器１７１２からデータ受信モードの終了要求が通達されると（ステップＳ１３５９）、送信許可履歴（ステップＳ１３６０）と、ファイル・リスト受信履歴（ステップＳ１３６１）の削除を行ない、データ受信モードを完了する。
【０１０９】
送信許可履歴とは、画像伝送装置からのデータを受け付けるか否かの判定結果を保持する情報であり、例えば、データ受信モード中に送信許可がされていれば１が設定され、許可されていなければ０が設定される。ここでは、送信許可履歴の削除を行なうため、０に設定される。また、ファイル・リスト履歴とは、画像伝送装置からのファイル・リストの受信を完了しているか否かを保持する情報であり、例えば、データ受信モード中にファイル・リストの受信を完了していれば１が設定され、完了していなければ０が設定される。ここでは、ファイル・リストの受信履歴の削除を行なうため、０に設定される。
【０１１０】
画像表示装置１７００の通信制御部１７１０は、受信パケットを待ち受け中にパケットを受信すると（ステップＳ１３４２）、受信パケットのＣＲＣ判定を行なう（ステップＳ１３４３）。
【０１１１】
ここで、受信パケットに誤りがあると判定されると、ＮＡＣＫパケットを生成し（ステップＳ１３５８）、パケット送信シーケンス（ステップＳ１３３０）を実行する。
【０１１２】
また、受信パケットが正しいと判定された場合には、受信パケットがパケット送信要求パケットであれば（ステップＳ１３４４）、送信許可判定シーケンスを実行した後（ステップＳ１３１０）、パケット送信シーケンスを実行する（ステップＳ１３３０）。
【０１１３】
また、受信パケットがパケット送信要求パケットでない場合には（ステップＳ１３４４）、送信許可履歴があるかどうかを判定する（ステップＳ１３４５）。そして、履歴がなければＮＡＣＫパケットを生成して（ステップＳ１３５８）、送信する（ステップＳ１３３０）。
【０１１４】
また、送信許可履歴がある場合、受信パケットがファイル・リスト・パケットかどうかを判定する。受信パケットがファイル・リスト・パケットであれば、ファイル・リストを作成し（ステップＳ１３４７）、ＡＣＫパケットを生成して（ステップＳ１３５７）、送信する（ステップＳ１３３０）。
【０１１５】
また、受信パケットがファイル・リスト送信完了パケットであれば、ファイル・リストの作成を終了して、ファイル・リスト受信履歴を作成し（ステップＳ１３４９）、ホスト機器１７１２の表示部にファイル・リストとカーソルの表示を行なう（ステップＳ１３５０）。
【０１１６】
図１５には、ファイル・リストの表示イメージを示している。表示画面１８００上には、ファイルの名前とサイズ、更新日時などのファイル情報１８０１のリストが表示され、カーソル１８０２がデフォルトの位置にセットされている。
【０１１７】
受信パケットがファイル・リスト・パケットでもファイル・リスト送信完了パケットでもなく、ファイル・リストの受信履歴がない場合には（ステップＳ１３５１）、ＮＡＣＫパケットを生成して（ステップＳ１３５８）、送信する（ステップＳ１３３０）。
【０１１８】
一方、ファイル・リストの受信履歴がある場合には、ユーザ・コマンド・パケットであるか（ステップＳ１３５２）、ファイル・データであるか（ステップＳ１３５３）、ファイル送信完了パケットであるか（ステップＳ１３５５）を判定する。いずれのパケットでもない場合には、ＮＡＣＫパケットを生成して（ステップＳ１３５８）、送信する（ステップＳ１３３０）。また、ファイル・データである場合には、ホスト機器１７１２のデータをバッファに格納し（ステップＳ１３５４）、ＡＣＫパケットを生成して（ステップＳ１３５７）、送信する（ステップＳ１３３０）。また、受信パケットがファイル送信完了パケットであれば、ホスト機器１７１２にファイル受信完了の通知をし、ホスト機器１７１２の表示部にファイルの表示を行なった後（ステップＳ１３５６）、ＡＣＫパケットを生成して（ステップＳ１３５７）、パケット送信シーケンスを実行する（ステップＳ１３３０）。パケット送信シーケンスを完了すると、再び受信待ち受けに戻る（ステップＳ１３４２）。
【０１１９】
図１２には、画像表示装置１７００における送信許可判定シーケンスをフローチャートの形式で示している。
【０１２０】
送信許可判定シーケンスが開始されると、通信制御部１７１０は、画像伝送装置からのデータ送信を許可するかしないかを判定する。判定方法は、例えば、画像伝送装置のＩＤが登録ＩＤであるかで許可／禁止を判定する場合や、ホスト機器１７１２の動作状況によってデータ送信を受け付けられるか否かで許可し又は禁止を判定する場合などの方法がとられる。
【０１２１】
通信制御部１７１０は、画像伝送装置からのデータ送信を許可しない場合、許可履歴を削除し（ステップＳ１３１６）、送信禁止パケットを生成して（ステップＳ１３１７）、送信許可判定シーケンスを終了する。
【０１２２】
また、通信制御部１７１０は、画像伝送装置からのデータ送信を許可する場合、ファイル・リスト受信履歴があるかどうかを調べる（ステップＳ１３１２）。既にファイル・リスト受信履歴がありファイル・リストを保持している場合には、ファイル・リストをホスト機器１７１２の表示部に表示してから（ステップＳ１３１３）許可履歴を作成する（ステップＳ１３１４）。また、ファイル・リスト受信履歴がない場合には、ファイル・リストの表示は行なわずに、許可履歴を作成する（ステップＳ１３１４）。通信制御部１７１０は、許可履歴を作成したら、送信許可パケットを生成して送信許可判定シーケンスを終了する。
【０１２３】
図１３には、画像表示装置１７００におけるユーザ・コマンド処理シーケンスをフローチャートの形式で示している。
【０１２４】
ユーザ・コマンド処理シーケンスが開始されると、通信制御部１７１０は、カーソル・キー移動コマンドを受信したか（ステップＳ１３２１）、決定コマンド・パケットを受信したか（ステップＳ１３２４）を判定する。
【０１２５】
受信パケットがカーソル・キー移動コマンドであれば、コマンド情報に従って、ホスト機器１７１２の表示部に表示されているカーソル位置の表示を修正し（ステップＳ１３２２）、ＡＣＫパケットを生成して（ステップＳ１３２３）、ユーザ・コマンド処理シーケンスを終了する。図１６中の参照番号１９０２は、カーソル位置移動コマンドによって、図１５に示したカーソル位置１８０２から１つ下にカーソル表示が移動した様子を示している。
【０１２６】
受信パケットが決定コマンド・パケットであれば、ホスト機器１７１２の表示部に表示されているカーソルが示しているファイルの送信を要求するためのファイル送信要求パケットを生成し（ステップＳ１３２５）、ユーザ・コマンド処理シーケンスを終了する。通信制御部１７１０は、受信したパケットがカーソル・キー移動コマンドでも決定コマンド・パケットでもなければ、ＮＡＣＫパケットを生成する（ステップＳ１３２６）。
【０１２７】
図１４には、画像表示装置１７００におけるパケット送信シーケンスをフローチャートの形式で示している。
【０１２８】
パケット送信シーケンスが開始されると、通信制御部１７１０は、無変調キャリアの送信を停止する（ステップＳ１３３１）。次に、パケットの送信を行なう（ステップＳ１３３２）。そして、送信が完了したら、再び無変調キャリアの連続送信を開始する（ステップＳ１３３３）。
【産業上の利用可能性】
【０１２９】
以上、特定の実施形態を参照しながら、本発明について詳解してきた。しかしながら、本発明の要旨を逸脱しない範囲で当業者が該実施形態の修正や代用を成し得ることは自明である。
【０１３０】
本明細書では、読取装置側からの無変調キャリアの送信と、送信装置側における伝送データにて反射波に変調を行なう反射波伝送システムを例にとって本発明の実施形態について説明したが、本発明の要旨はこれに限定されるものではない。反射波伝送以外のメディアを利用する場合であっても、通信装置間で指向性の調整を必要とする無線又は有線の通信システムにおいて、幾つものファイルの送信を行なう際に、本発明を適用することができる。
【０１３１】
本発明によれば、反射波伝送路を始めとしてさまざまなメディアを介してデータ伝送を行なう際に、データ伝送元となるデータ伝送装置において伝送可能なファイルをデータ伝送先となるデータ処理装置において表示し送信ファイルを選択することが可能なインターフェースを提供することによって、ファイルを送信する度に通信装置間の指向性の調整を逐次行なう必要がなくなり、操作性が向上する。
【０１３２】
要するに、例示という形態で本発明を開示してきたのであり、本明細書の記載内容を限定的に解釈するべきではない。本発明の要旨を判断するためには、冒頭に記載した特許請求の範囲の欄を参酌すべきである。
【図面の簡単な説明】
【０１３３】
【図１】図１は、本発明の一実施形態に係る反射波伝送システムの構成例を示した図である。
【図２】図２は、本発明に係る反射波伝送システムにおいて、画像伝送装置と画像表示装置間で画像データを伝送するための通信シーケンスの一例を示した図である。
【図３】図３は、画像伝送装置のハードウェア構成を模式的に示した図である。
【図４】図４は、画像伝送装置１２００の信号処理部１２０３における処理動作の手順を示したフローチャートである。
【図５】図５は、画像伝送装置１２００の信号処理部１２０３における処理動作の手順を示したフローチャートである。
【図６】図６は、画像伝送装置１２００の信号処理部１２０３における処理動作の手順を示したフローチャートである。
【図７】図７は、画像伝送装置１２００の信号処理部１２０３における処理動作の手順を示したフローチャートである。
【図８】図８は、画像伝送装置１２００の信号処理部１２０３における処理動作の手順を示したフローチャートである。
【図９】図９は、画像伝送装置１２００の信号処理部１２０３における処理動作の手順を示したフローチャートである。
【図１０】図１０は、画像表示装置のハードウェア構成を模式的に示した図である。
【図１１】図１１は、画像表示装置１７００の通信制御部１７１０における処理動作の手順を示したフローチャートである。
【図１２】図１２は、画像表示装置１７００の通信制御部１７１０における処理動作の手順を示したフローチャートである。
【図１３】図１３は、画像表示装置１７００の通信制御部１７１０における処理動作の手順を示したフローチャートである。
【図１４】図１４は、画像表示装置１７００の通信制御部１７１０における処理動作の手順を示したフローチャートである。
【図１５】図１５は、ファイル・リストの表示イメージを示した図である。
【図１６】図１６は、カーソル位置移動コマンドによって、図１５に示したカーソル位置１８０２から１つ下にカーソル表示が移動した様子を示した図である。
【図１７】図１７は、ファイル・リスト・パケットのフレーム構成例を示した図である。
【図１８】図１８は、カーソル移動コマンド・パケットのフレーム構成例を示した図である。
【図１９】図１９は、決定コマンド・パケットのフレーム構成例を示した図である。
【図２０】図２０は、ファイル要求コマンド・パケットのフレーム構成例を示した図である。
【図２１】図２１は、反射波伝送システムの構成例を模式的に示した図である。
【図２２】図２２は、画像伝送装置と画像表示装置の双方が無指向性のアンテナを用いている場合と、画像伝送装置と画像表示装置の双方が一方向に大きな利得を得ることができる指向性アンテナを用いている場合の無線通信距離の違いを表した図である
【図２３】図２３は、指向性アンテナを用いた画像伝送装置３０１と画像表示装置３０２が正対していない例を示した図である。
【図２４】図２４は、反射波伝送システムの通信シーケンスの一例を示した図である。
【符号の説明】
【０１３４】
１２００…画像伝送装置
１２０２…カメラ部
１２０３…信号処理部
１２０４…メモリ・カード・インターフェース部
１２０５…操作／表示部
１２０６…ＵＳＢインターフェース部
１２０７…メモリ・カード
１２０８…無線伝送モジュール
１２０９…アンテナ
１２１０…アンテナ・スイッチ
１２１１…アンテナ負荷
１２１２…バンドパス・フィルタ
１２１３…ＡＳＫ検波部
１７００…無線受信モジュール
１７０１…アンテナ
１７０２…サーキュレータ
１７０３…受信部
１７０４…直交検波部
１７０５…ＡＧＣアンプ部
１７０６…送信部
１７０７…ミキサ
１７０８…パワー・アンプ
１７０９…周波数シンセサイザ
１７１０…通信制御部
１７１１…ホスト・インターフェース部
１７１２…ホスト機器
【図１】
2006020078.tif 000003
【図２】
2006020078.tif 000004
【図３】
2006020078.tif 000005
【図４】
2006020078.tif 000006
【図５】
2006020078.tif 000007
【図６】
2006020078.tif 000008
【図７】
2006020078.tif 000009
【図８】
2006020078.tif 000010
【図９】
2006020078.tif 000011
【図１０】
2006020078.tif 000012
【図１１】
2006020078.tif 000013
【図１２】
2006020078.tif 000014
【図１３】
2006020078.tif 000015
【図１４】
2006020078.tif 000016
【図１５】
2006020078.tif 000017
【図１６】
2006020078.tif 000018
【図１７】
2006020078.tif 000019
【図１８】
2006020078.tif 000020
【図１９】
2006020078.tif 000021
【図２０】
2006020078.tif 000022
【図２１】
2006020078.tif 000023
【図２２】
2006020078.tif 000024
【図２３】
2006020078.tif 000025
【図２４】
2006020078.tif 000026